(57)【要約】【課題】顧客の好みに基づいて複数の事業者が提供する情報を組み合わせると共に、当該組み合わせた内容に適した顧客の情報を付加した本を製作することを可能とする。【解決手段】本を製作するため編集情報を作成する製本装置（１００）であって、第１の事業者の有する第１端末装置（２００）より、共通情報を受信する共通情報受信手段と、第２の事業者の有する第２端末装置（３００）より、前記共通情報に関連する関連情報を受信する関連情報受信手段と、顧客の有する第３端末装置（４００）へ、前記共通情報及び前記関連情報を送信する送信手段と、前記第３端末装置より、個別情報を受信する個別情報受信手段と、前記第３端末装置より、製本情報を受信する製本情報受信手段と、前記個別情報及び前記製本情報に基づいて前記編集情報を作成する作成手段と、前記編集情報を出力する出力手段とを備えることを特徴とする。【選択図】図１
2011156796.tif 000002
【特許請求の範囲】
【請求項１】
本を製作するため編集情報を作成する製本装置であって、
第１の事業者の有する第１端末装置より共通情報を受信する第１共通情報受信手段と、
第２の事業者の有する第２端末装置より前記共通情報に関連する関連情報を受信する第１関連情報受信手段と、
顧客の有する第３端末装置へ、前記共通情報及び前記関連情報を送信する送信手段と、
前記第３端末装置より、個別情報を受信する個別情報受信手段と、
前記第３端末装置より、製本情報を受信する製本情報受信手段と、
前記個別情報及び前記製本情報に基づいて前記編集情報を作成する作成手段と、
前記編集情報を出力する出力手段と、
を備えることを特徴とする製本装置。
【請求項２】
前記第３端末装置へ、過去に受信した前記製本情報を送信する製本情報送信手段を更に備えることを特徴とする請求項１に記載の製本装置。
【請求項３】
前記製本情報に基づいて、前記第１事業者、前記第２事業者、及び前記顧客の夫々が支払う製本の費用を計算する計算手段を更に備えることを特徴とする請求項１または２に記載の製本装置。
【請求項４】
本を製作するため編集情報を作成する製本方法であって、
第１の事業者の有する第１端末装置より、共通情報を受信する共通情報受信工程と、
第２の事業者の有する第２端末装置より、前記共通情報に関連する関連情報を受信する関連情報受信工程と、
顧客の有する第３端末装置へ、前記共通情報及び前記関連情報を送信する送信工程と、
前記第３端末装置より、個別情報を受信する個別情報工程と、
前記第３端末装置より、製本情報を受信する製本情報受信工程と、
前記個別情報及び前記製本情報に基づいて前記編集情報を作成する作成工程と、
前記編集情報を出力する出力工程と
を有することを特徴とする製本方法。
【請求項５】
本を製作するため編集情報を作成する製本装置と、第１の事業者が有する第２端末装置と、第２の事業者が有する第２端末装置と、顧客の有する第３の端末装置と、からなる製本システムであって、
前記製本装置は、
前記第１端末装置より共通情報を受信する第１共通情報受信手段と、
前記第２端末装置より前記共通情報に関連する関連情報を受信する第１関連情報受信手段と、
前記第３端末装置へ前記共通情報及び前記関連情報を送信する送信手段と、
前記第３端末装置より個別情報を受信する個別情報受信手段と、
前記第３端末装置より製本情報を受信する製本情報受信手段と、
前記個別情報及び前記製本情報に基づいて前記編集情報を作成する作成手段と、
前記編集情報を出力する出力手段と、を備え、
前記第１端末装置は、
前記共通情報を前記製本装置に送信する共通情報送信手段を備え、
前記第２端末装置は、
前記関連情報を前記製本装置に送信する関連情報送信手段を備え、
前記第３端末装置は、
前記共通情報を前記製本装置から受信する第２共通情報受信手段と
前記関連情報を前記製本装置から受信する第２関連情報受信手段と、
前記個別情報を前記製本装置に送信する個別情報送信手段と、
前記製本情報を前記製本装置に送信する製本情報送信手段と、
を備えることを特徴とする製本システム。
【発明の詳細な説明】
【技術分野】
【０００１】
本発明は、顧客の好みに基づいて複数の事業者が提供する情報を組み合わせると共に、当該組み合わせた内容に適した顧客の情報を付加した本を製作する製本装置及び製本方法に関するものである。
【背景技術】
【０００２】
従来、オンラインで出版物の作成を行うオンデマンド出版技術が提案されている（例えば、下記特許文献１参照。）。これは、校正刷りや製本見本をユーザに発送せずにオンデマンド出版を円滑に行うことのできる技術を提供するものである。
【０００３】
そして、アルバム作成システムとして、利用者が旅行中などのユビキタス環境下でも、観光地などにおいて、あらかじめ用意された高品質の画像データまたは文章等のコンテンツを、簡単な操作で利用者が獲得でき、高品質のアルバムを簡単に作成できる技術が提案されている（例えば、下記特許文献２参照。）。これは、利用者が移動中に自分で製作したコンテンツと、現地で用意されている資料コンテンツを混在させた高品位のアルバムや資料を印刷物として製作するものである。
【０００４】
また、アルバム作成支援システムとして、利用者写真と共に広告を送付するサービスが提案されている（例えば、下記特許文献３参照。）。これは、台紙または広告用の写真用紙に印刷する企業広告として、収集しておいた会員好み情報を参照し、サービス利用者の好みのタレント、好みの風景、趣味に関する画像等、つまり、好みの画像が用いられている広告を選択するものである。
【０００５】
更にまた、旅行アルバム提供システムとして、オーダーメイトのガイドブックデータを利用し簡単な操作で旅行先の案内を含むアルバムを自動的に作成できるものが提案されている（例えば、下記特許文献４参照。）。これは、利用者が一回の観光旅行に必要最小限の情報が掲載された旅行案内データを任意に選択して、オーダーメイドのガイドブックを作成すると共に、このガイドブックデータとディジタルカメラで撮影したディジタル画像データとを自動的に合成して、旅行アルバムとして提供するものである。
【先行技術文献】
【特許文献】
【０００６】
【特許文献１】特開２００３−２８１２６２号公報
【特許文献２】特開２００７−２１３２１６号公報
【特許文献３】特開２００９−３６９５号公報
【特許文献４】特開２００５−２７５７７０号公報
【発明の概要】
【発明が解決しようとする課題】
【０００７】
しかしながら、上述した特許文献１乃至４の技術では、顧客の好みに基づいて複数の事業者が提供する情報を組み合わせると共に、当該組み合わせた内容に適した顧客の情報を付加した本を製作することができない。例えば、ピアノ愛好者の顧客に対して、顧客が所有するピアノのメーカが提供する商品情報、及び顧客が通っているピアノ教室が提供する教室情報を組み合わせると共に、当該組み合わせた内容に適合させて、顧客が参加したピアノ演奏会で撮影した写真情報を追加した本を製作することができないという問題がある。
【課題を解決するための手段】
【０００８】
上述した課題を解決するために、本発明にかかる製本装置は、本を製作するため編集情報を作成する製本装置であって、第１の事業者の有する第１端末装置より、共通情報を受信する第１共通情報受信手段と、第２の事業者の有する第２端末装置より、前記共通情報に関連する関連情報を受信する第１関連情報受信手段と、顧客の有する第３端末装置へ、前記共通情報及び前記関連情報を送信する送信手段と、前記第３端末装置より、個別情報を受信する個別情報受信手段と、前記第３端末装置より、製本情報を受信する製本情報受信手段と、前記個別情報及び前記製本情報に基づいて前記編集情報を作成する作成手段と、前記編集情報を出力する出力手段とを備えることを特徴とする。
【０００９】
また、本発明にかかる製本方法は、本を製作するため編集情報を作成する製本方法であって、第１の事業者の有する第１端末装置より、共通情報を受信する共通情報受信工程と、第２の事業者の有する第２端末装置より、前記共通情報に関連する関連情報を受信する関連情報受信工程と、顧客の有する第３端末装置へ、前記共通情報及び前記関連情報を送信する送信工程と、前記第３端末装置より、個別情報を受信する個別情報工程と、前記第３端末装置より、製本情報を受信する製本情報受信工程と、前記個別情報及び前記製本情報に基づいて前記編集情報を作成する作成工程と、前記編集情報を出力する出力工程とを有することを特徴とする。
【００１０】
また、本発明にかかる製本システムは、本を製作するため編集情報を作成する製本装置と、第１の事業者が有する第２端末装置と、第２の事業者が有する第２端末装置と、顧客の有する第３の端末装置と、からなる製本システムであって、前記製本装置は、前記第１端末装置より共通情報を受信する第１共通情報受信手段と、前記第２端末装置より前記共通情報に関連する関連情報を受信する第１関連情報受信手段と、前記第３端末装置へ前記共通情報及び前記関連情報を送信する送信手段と、前記第３端末装置より個別情報を受信する個別情報受信手段と、前記第３端末装置より製本情報を受信する製本情報受信手段と、前記個別情報及び前記製本情報に基づいて前記編集情報を作成する作成手段と、前記編集情報を出力する出力手段と、を備え、前記第１端末装置は、前記共通情報を前記製本装置に送信する共通情報送信手段を備え、前記第２端末装置は、前記関連情報を前記製本装置に送信する関連情報送信手段を備え、前記第３端末装置は、前記共通情報を前記製本装置から受信する第２共通情報受信手段と、前記関連情報を前記製本装置から受信する第２関連情報受信手段と、前記個別情報を前記製本装置に送信する個別情報送信手段と、前記製本情報を前記製本装置に送信する製本情報送信手段と、を備えることを特徴とする。
【発明の効果】
【００１１】
本発明の製本装置、製本方法および製本システムによれば、第１の事業者が提供する共通情報、第２の事業者が提供する関連情報、及び顧客の有する個別情報を、顧客が自由に組み合わせて製本するので、顧客の好みに基づいて複数の事業者が提供する情報を組み合わせると共に、当該組み合わせた内容に適した顧客の情報を付加した本を製作することができる。
【図面の簡単な説明】
【００１２】
【図１】製本システム全体の構成を示すブロック図である。
【図２】本発明の製本装置の構成を示すブロック図である。
【図３】事業者の分類を管理する分類テーブルのデータ構造を示す図である。
【図４】共通情報における共通事業者テーブルのデータ構造を示す図である。
【図５】共通情報における共通データテーブルのデータ構造を示す図である。
【図６】関連情報における関連事業者テーブルのデータ構造を示す図である。
【図７】関連情報における関連データテーブルのデータ構造を示す図である。
【図８】個別情報における個別顧客テーブルのデータ構造を示す図である。
【図９】個別情報における個別データテーブルのデータ構造を示す図である。
【図１０】製本情報における製本管理テーブルのデータ構造を示す図である。
【図１１】製本情報における製本データテーブルのデータ構造を示す図である。
【図１２】本発明の製本装置における共通情報入力装置に対する処理の内容を示すフローチャートである。
【図１３】共通情報入力装置の入力画面例を示す図である。
【図１４】本発明の製本装置における関連情報入力装置に対する処理の内容を示すフローチャートである。
【図１５】関連情報入力装置の入力画面例を示す図である。
【図１６】本発明の製本装置における個別情報入力装置に対する処理の内容を示すフローチャートである。
【図１７】個別情報入力装置の入力例画面を示す図である。
【図１８】第１実施例（基本構成）の処理の内容を示す説明図である。
【図１９】第２実施例（版の更新）の処理の内容を示す説明図である。
【図２０】第３実施例（卒業アルバムの制作）の処理の内容を示す説明図である。
【図２１】製本装置１００で制作される製本を示す説明図である。
【発明を実施するための形態】
【００１３】
以下に添付図面を参照して、本発明にかかる製本装置及び製本方法の好適な実施の形態を詳細に説明する。
【００１４】
（ブロック図）
図１は、製本システム全体の構成を示すブロック図である。まず、製本システムは、本発明にかかる製本装置１００、第１の事業者の有する第１端末装置である共通情報入力装置２００、第２の事業者の有する第２端末装置である関連情報入力装置３００、及び顧客の有する第３端末装置である個別情報入力装置４００を備える。
【００１５】
そして、製本装置１００は、共通情報入力装置２００より共通情報を受信する（第１共通情報受信手段）。
ここで、共通情報とは、本に印刷するために、第１の事業者が提供する情報であり、他の事業者、或いは顧客の情報に対して共通に用いられる情報を意味する。例えば、第１の事業者が販売する商品を宣伝広告する画像データ等が共通情報に該当する。
【００１６】
また、製本装置１００は、関連情報入力装置３００へ共通情報を送信し、関連情報入力装置３００より関連情報を受信する（第１関連情報受信手段）。
ここで、関連情報とは、本に印刷するために、第１の事業者とは異なる第２の事業者が提供する情報であり、共通情報に関連した情報を意味する。例えば、第１の事業者の商品に関連する、第２の事業者が提供するサービスを宣伝広告する画像データ等が関連情報に該当する。
【００１７】
更にまた、製本装置１００は、個別情報入力装置４００へ共通情報及び関連情報を送信し（送信手段）、個別情報入力装置４００より個別情報及び製本情報を受信する（それぞれ、個別情報受信手段、及び、製本情報受信手段）。ここで、個別情報とは、本を印刷するために、顧客が提供する情報を意味する。例えば、第１の事業者の商品及び第２の事業者のサービスに関連する、顧客の有する画像データ等が個別情報に該当する。また、製本情報とは、１冊の本を印刷するため情報であり、画像情報及び画像情報を管理する管理情報を意味する。
製本装置１００は、受信した個別情報及び製本情報に基づいて、本を作成するための最終的な印刷画像である編集情報を作成し（作成手段）、作成した編集情報を外部の図示しない印刷装置に出力する（出力手段）。
さらに製本装置１００は、第３端末装置へ、必要に応じて過去に受信した製本情報を送信する（製本情報送信手段）。
また製本装置１００は、製本情報に基づいて、第１の事業者、第２の事業者、及び顧客の夫々が支払う製本の費用を計算する（計算手段）。
【００１８】
図２は、本発明の製本装置の構成を示すブロック図である。なお上記した第１共通情報受信手段、第１関連情報受信手段、送信手段、個別情報受信手段、製本情報受信手段、および製本情報送信手段は、製本装置１００の通信部１０１が主として対応する。また、作成手段は制御部１０２、記憶部１０３およびデータベース１０４が主として対応し、出力手段は出力部１０５が主として対応している。
まず、通信部１０１においては、通信インターフェースを備え、共通情報入力装置２００、関連情報入力装置３００、及び個別情報入力装置４００に対して、共通情報、関連情報、個別情報、及び製本情報を送受信する。そして、制御部１０２においては、ＣＰＵ、ＲＯＭ及びＲＡＭを備え、通信部１０１、記憶部１０３、及び出力部１０５の動作を制御する。そして、ＲＯＭには制御プログラムが記録されており、ＲＡＭはＣＰＵのワークエリアとして使用される。すなわち、ＣＰＵは、ＲＡＭをワークエリアとして使用しながら、ＲＯＭに記録された制御プログラムを実行することによって、製本装置１００の全体の制御を司る。また、記憶部１０３においては、データベースインターフェースを備え、通信部１０１より受信された情報を加工してデータベース１０４に格納する。さらに、記憶部１０３において、データベース１０４より読み出した情報を通信部１０１へ転送する。また、出力部１０５においては、出力インターフェースを備え、データベース１０４に格納された製本情報を加工して最終的な印刷画像である後述する編集情報を出力する。
【００１９】
（データ構造）
図３は、事業者の分類を管理する分類テーブルのデータ構造を示す図である。まず、分類テーブル１１０は、本の分類を示すためのテーブルであり、分類ＩＤ及び分類名称の項目を有する。そして、分類ＩＤは、分類に固有のコードであり、分類名称に関連付けられている。なお、製本装置を有する製本業者が、予めこのテーブルを設定しておくのが好適であるが、第１の事業者等が追加するようにしてもよい。
【００２０】
図４は、共通情報における共通事業者テーブルのデータ構造を示す図である。まず、事業者テーブル１１１は、共通情報に含まれる情報であり、分類ＩＤ、事業者１ＩＤ及び事業者１名称の項目を有する。そして、分類ＩＤは、分類テーブル１１０より選択された情報である。また、事業者１ＩＤは、第１の事業者が提供する共通情報に固有のコードであり、事業者１名称に関連付けられている。
【００２１】
図５は、共通情報における共通データテーブルのデータ構造を示す図である。まず、共通データテーブル１１２は、共通情報に含まれる情報であり、事業者１ＩＤ、画像ＩＤ及び画像ファイル名の項目を有する。そして、事業者１ＩＤは、共通事業者テーブル１１１より選択された情報である。また、画像ＩＤは、第１の事業者が提供する共通情報に含まれる画像情報に固有のコードであり、画像ファイル名に関連付けられている。
【００２２】
図６は、関連情報における関連事業者テーブルのデータ構造を示す図である。まず、関連事業者テーブル１１３は、関連情報に含まれる情報であり、分類ＩＤ、事業者１ＩＤ、事業者２ＩＤ及び事業者２名称の項目を有する。そして、分類ＩＤは、分類テーブル１１０より選択された情報であり、事業者１ＩＤは、共通事業者テーブル１１１より選択された情報である。また、事業者２ＩＤは、第２の事業者が提供する関連情報に固有のコードであり、事業者２名称に関連付けられている。
【００２３】
図７は、関連情報における関連データテーブルのデータ構造を示す図である。まず、関連データテーブル１１４は、関連情報に含まれる情報であり、事業者２ＩＤ、画像ＩＤ及び画像ファイル名の項目を有する。そして、事業者２ＩＤは、関連事業者テーブル１１３より選択された情報である。また、画像ＩＤは、第２の事業者が提供する関連情報に含まれる画像情報に固有のコードであり、画像ファイル名に関連付けられている。
【００２４】
図８は、個別情報における個別顧客テーブルのデータ構造を示す図である。まず、個別顧客テーブル１１５は、個別情報に含まれる情報であり、個別ＩＤ、個別名称及びパスワードを有する。そして、顧客ＩＤは、顧客が提供する個別情報に固有のコードであり、顧客名称及びパスワードに関連付けられている。
【００２５】
図９は、個別情報における個別データテーブルのデータ構造を示す図である。まず、個別データテーブル１１６は、個別情報に含まれる情報であり、顧客ＩＤ、画像ＩＤ及び画像ファイル名の項目を有する。そして、顧客ＩＤは、個別顧客テーブル１１５より選択された情報である。また、画像ＩＤは、顧客が提供する個別情報に含まれる画像情報に固有のコードであり、画像ファイル名に関連付けられている。
【００２６】
図１０は、製本情報における製本管理テーブルのデータ構造を示す図である。まず、製本管理テーブル１１７は、製本情報に含まれる情報であり、製本ＩＤ、分類ＩＤ、事業者１ＩＤ、事業者２ＩＤ、顧客ＩＤ、共通情報ページ数、関連情報ページ数及び個別情報ページ数の項目を有する。そして、製本ＩＤは、顧客が登録する製本情報に固有のコードである。また、分類ＩＤは、分類テーブル１１０より選択された情報であり、事業者１ＩＤは、共通事業者テーブル１１１より選択された情報であり、事業者２ＩＤは、関連事業者テーブル１１３より選択された情報であり、顧客ＩＤは、個別顧客テーブル１１５より選択された情報である。さらに、共通情報ページ数は、製本情報に含まれる共通情報の画像のページ数であり、関連情報ページ数は、製本情報に含まれる関連情報の画像のページ数であり、個別情報ページ数は、製本情報に含まれる個別情報の画像のページ数である。これらのページ数情報は、第１の事業者、第２の事業者及び顧客に対して請求する製本の費用を計算する際にも活用される。
【００２７】
図１１は、製本情報における製本データテーブルのデータ構造を示す図である。まず、製本データテーブル１１８は、製本情報に含まれる情報であり、ページ番号、属性、画像ＩＤ及び画像ファイル名の項目を有する。そして、ページ番号は、製本情報に含まれるページの番号を示す。また、属性は、対象ページの画像が、共通情報、関連情報、或いは個別情報のいずれかであるかを示すコードであり、例えば、”０００１”の場合は共通情報、”０００２”の場合は関連情報、”０００３”の場合は個別情報を示している。さらに、画像ＩＤは、共通データテーブル１１２、関連データテーブル１１４、或いは個別データテーブル１１６より選択された情報であり、画像ファイル名に関連付けられている。
【００２８】
（本発明の製本装置の処理の流れ）
本発明の製本装置における共通情報入力装置に対する処理を説明する。なお上記した共通情報送信手段は、共通情報入力装置２００に対応している。
図１２は、本発明の製本装置における共通情報入力装置に対する処理の内容を示すフローチャートであり、図１３は、共通情報入力装置の入力画面例を示す図である。
まず、製本装置１００の通信部１０１は、共通情報入力装置２００へ分類テーブル１１０のデータを送信する（ステップＳ１２０）。これにより、図１３の共通情報入力装置における共通情報入力画面１３０の分類選択リストに分類一覧が表示されることになる。
【００２９】
そして、図１３の共通情報入力画面１３０においては、第１の事業者が分類選択リストより分類を選択し、事業者１名を入力する。また、共通情報入力画面１３０において、第１の事業者が追加ボタンを押すと、図示しないファイルダイアログが表示される。そして、第１の事業者が当該ファイルダイアログにおいて画像ファイルを選択することにより、共通情報入力画面１３０の画像一覧に選択された画像のサムネイル画像及びファイル名が表示される。ここで、共通情報入力画面１３０において、第１の事業者が、画像一覧のサムネイル画像を選択して、削除ボタンを押すと画像ファイルが削除される。また、第１の事業者が、画像一覧のサムネイル画像を選択してドラッグ＆ドロップすることで、画像ファイルの順番を入れ替えることもできる。
【００３０】
次に、図１３の共通情報入力画面１３０において、第１の事業者が登録ボタンを押すことにより共通情報を登録する場合（ステップＳ１２１：ＹＥＳ、共通情報送信手段）、製本装置１００の通信部１０１は、共通情報入力装置２００より、分類ＩＤ、事業者１名、及び画像データを受信する（ステップＳ１２２、共通情報受信工程）。
【００３１】
そして、製本装置１００は、データベース１０４にある共通情報のデータベースを更新する（ステップＳ１２３）。具体的には、製本装置１００は、共通情報入力装置２００より受信した共通情報を、データベース１０４内の共通事業者テーブル１１１及び共通データテーブル１１２に追加更新する。
【００３２】
なお、図１３の共通情報入力画面１３０において、第１の事業者がキャンセルボタンを押すことにより共通情報を登録しない場合（ステップＳ１２１：ＮＯ）、製本装置１００は、共通情報入力装置２００に対する処理を終了する。そして、共通情報入力装置２００においても、共通情報入力画面１３０が閉じられることになる。
【００３３】
次に、本発明の製本装置における関連情報入力装置に対する処理を説明する。なお上記した関連情報送信手段は、関連情報入力装置３００が対応している。そして図１４は、本発明の製本装置における関連情報入力装置に対する処理の内容を示すフローチャートであり、図１５は、関連情報入力装置の入力画面例を示す図である。まず、製本装置１００の通信部１０１は、関連情報入力装置３００へ分類テーブル１１０及び共通事業者テーブル１１１のデータを送信する（ステップＳ１４０）。これにより、まず、図１５の関連情報入力装置における関連情報入力画面１５０の分類選択リストに分類一覧が表示されることになる。
【００３４】
そして、図１５の関連情報入力画面１５０においては、第２の事業者が分類選択リストより分類を選択することにより、事業者１選択リストに第１の事業者一覧が表示されることになる。さらに、関連情報入力画面１５０において、第２の事業者が事業者１選択リストより事業者１を選択することにより、関連情報入力装置３００は、製本装置１００へ選択された事業者１ＩＤを送信する。
【００３５】
ここで、製本装置１００の通信部１０１は、関連情報入力装置３００より事業者１ＩＤを受信する（ステップＳ１４１）。そして、製本装置１００は、データベース１０４より
受信した事業者１ＩＤに関連する共通情報、具体的には、共通データテーブル１１２より画像データを読み出す。
【００３６】
そして、製本装置１００の通信部１０１は、データベース１０４より読み出された共通情報を関連情報入力装置３００へ送信する（ステップＳ１４２）。また、関連情報入力画面１５０においては、受信した共通情報の画像データを画像一覧に表示する。
【００３７】
また、関連情報入力画面１５０においては、第２の事業者が事業者２名を入力する。さらに、関連情報入力画面１５０において、第２の事業者が追加ボタンを押すと、図示しないファイルダイアログが表示される。そして、第２の事業者が当該ファイルダイアログにおいて画像ファイルを選択することにより、関連情報入力画面１５０の画像一覧に選択された画像のサムネイル画像及びファイル名が追加表示される。ここで、関連情報入力画面１５０において、第２の事業者が登録した画像一覧のサムネイル画像を選択して、削除ボタンを押すと画像ファイルが削除される。また、第２の事業者が登録した画像一覧のサムネイル画像を選択してドラッグ＆ドロップすることで、画像ファイルの順番を入れ替えることもできる。なお、関連情報入力画面１５０においては、第２の事業者は、第１の事業者が登録した画像ファイルの削除及び順番の入れ替えはできないこととする。
【００３８】
次に、図１５の関連情報入力画面１５０において、第２の事業者が登録ボタンを押すことにより関連情報を登録する場合（ステップＳ１４３：ＹＥＳ、関連情報送信手段）、製本装置１００の通信部１０１は、関連情報入力装置３００より、分類ＩＤ、事業者１ＩＤ、事業者２名、及び画像データを受信する（ステップＳ１４４、関連情報受信工程）。
【００３９】
そして、製本装置１００は、データベース１０４にある関連情報のデータベースを更新する（ステップＳ１４５）。具体的には、製本装置１００は、関連情報入力装置３００より受信した関連情報を、データベース１０４内の関連事業者テーブル１１３及び関連データテーブル１１４に追加更新する。
【００４０】
なお、図１５の関連情報入力画面１５０において、第２の事業者がキャンセルボタンを押すことにより関連情報を登録しない場合（ステップＳ１４３：ＮＯ）、製本装置１００は、関連情報入力装置３００に対する処理を終了する。そして、関連情報入力装置３００においても、関連情報入力画面１５０が閉じられることになる。
【００４１】
最後に、本発明の製本装置における個別情報入力装置に対する処理を説明する。なお上記した受信手段および製本情報送信手段は、個別情報入力装置に対応している。そして図１６は、本発明の製本装置における個別情報入力装置に対する処理の内容を示すフローチャートであり、図１７は、個別情報入力装置の入力画面例を示す図である。まず、製本装置１００の通信部１０１は、個別情報入力装置４００へ分類テーブル１１０、共通事業者テーブル１１１、及び関連事業者テーブル１１３のデータを送信する（ステップＳ１６０、送信工程）。これにより、図１７の個別情報入力装置における関連情報入力画面１８０の分類選択リストに分類一覧が表示されることになる。
【００４２】
ここで、顧客が関連情報入力画面１８０の読み込みボタンが押すと、前回登録した版を選択することができるが、まずは、顧客が新規に個別情報を作成し、登録する場合を説明する（ステップＳ１６1：ＮＯ）。そして、図１７の個別情報入力画面１８０においては、顧客が分類選択リストより分類を選択することにより、事業者１選択リストに第１の事業者一覧が表示されることになる。さらに、個別情報入力画面１８０において、顧客が事業者１選択リストより事業者１を選択することにより、個別情報入力装置４００は、製本装置１００へ選択された事業者１ＩＤを送信する。
【００４３】
ここで、製本装置１００の通信部１０１は、個別情報入力装置４００より事業者１ＩＤを受信する（ステップＳ１６２）。そして、製本装置１００は、データベース１０４より受信した事業者１ＩＤに関連する共通情報、具体的には、共通データテーブル１１２より画像データを読み出す。
【００４４】
そして、製本装置１００の通信部１０１は、データベース１０４より読み出された共通情報を個別情報入力装置４００へ送信する（ステップＳ１６３）。一方、個別情報入力装置４００は、製本装置１００から送信された共通情報を受信する（第２共通情報受信手段）。
また、個別情報入力画面１８０においては、受信した共通情報の画像データを画像一覧に表示する。
【００４５】
また、図１７の個別情報入力画面１８０においては、顧客が事業者１選択リストより事業者１を選択することにより、事業者２選択リストに第２の事業者一覧が表示されることになる。さらに、個別情報入力画面１８０において、顧客が事業者２選択リストより事業者２を選択することにより、個別情報入力装置４００は、製本装置１００へ選択された事業者２ＩＤを送信する。
【００４６】
ここで、製本装置１００の通信部１０１は、個別情報入力装置４００より事業者２ＩＤを受信する（ステップＳ１６４）。そして、製本装置１００は、データベース１０４より
受信した事業者２ＩＤに関連する関連情報、具体的には、関連データテーブル１１４より画像データを読み出す。
【００４７】
そして、製本装置１００の通信部１０１は、データベース１０４より読み出された関連情報を個別情報入力装置４００へ送信する（ステップＳ１６５）。一方、個別情報入力装置４００は、製本装置１００から送信された関連情報を受信する（第２関連情報受信手段）。
また、個別情報入力画面１８０においては、受信した関連情報の画像データを共通情報の画像データに追加して画像一覧に表示する。
【００４８】
また、個別情報入力画面１８０においては、顧客が顧客名を入力する。さらに、個別情報入力画面１８０において、顧客が追加ボタンを押すと、図示しないファイルダイアログが表示される。そして、当該ファイルダイアログにおいて画像ファイルを選択することにより、個別情報入力画面１８０の画像一覧に選択された画像のサムネイル画像及びファイル名が追加表示される。ここで、個別情報入力画面１８０において、顧客が登録した画像一覧のサムネイル画像を選択して、削除ボタンを押すと画像ファイルが削除される。また、顧客が登録した画像一覧のサムネイル画像を選択してドラッグ＆ドロップすることで、画像ファイルの順番を入れ替えることもできる。なお、個別情報入力画面１８０においては、第１の事業者及び第２の事業者が登録した画像ファイルを削除することはできないが、第１の事業者、第２の事業者及び顧客が登録した全ての画像ファイルの順番の入れ替えができることとする。
【００４９】
次に、顧客が個別情報入力画面１８０の読み込みボタンが押して、前回登録した版を選択する場合（ステップＳ１６1：ＹＥＳ）を説明する。顧客が読み込みボタンを押すと、図示しない顧客名及びパスワードを入力する顧客情報入力画面が個別情報入力装置４００に表示される。ここで、顧客にパスワードを入力させるのは、他の顧客に個別情報を閲覧させないためである。そして、顧客情報入力画面で顧客情報である顧客名及びパスワードが入力されると、個別情報入力装置４００は、製本装置１００へ顧客情報である顧客名及びパスワードを送信する。
【００５０】
ここで、製本装置１００の通信部１０１は、個別情報入力装置４００より顧客情報である顧客名及びパスワードを受信する（ステップＳ１６６）。また、製本装置１００は、データベース１０４より受信した顧客名及びパスワードに関連する製本情報、具体的には、製本管理テーブル１１７及び製本データテーブル１１８を読み出す。
【００５１】
そして、製本装置１００の通信部１０１は、データベース１０４より読み出された過去の製本情報及び対応する編集情報を個別情報入力装置４００へ送信する（ステップＳ１６７、製本情報送信工程）。また、個別情報入力画面１８０においては、受信した製本情報に基づいて、分類名、事業者１名、事業者２名、顧客名、及び製本データの画像データを表示する。そして、個別情報入力画面１８０において、顧客は前回登録した版のデータに対して、さらなる編集を行うことが可能になるのである。
その後、個別情報入力装置４００は、編集した製本情報を製本装置１００の通信部１０１に送信する（製本情報送信手段）。
【００５２】
なお、ここでは、顧客が以前登録した製本情報が１つの例を説明したが、製本情報が複数の場合には、製本装置１００より複数の製本情報が存在することを個別情報入力装置４００へ通知し、個別情報入力装置４００において、いずれかの製本情報を選択することもできる。
【００５３】
次に、図１７の個別情報入力画面１８０において、顧客が登録ボタンを押すことにより個別情報を登録する場合（ステップＳ１６８：ＹＥＳ、個別情報送信手段）、図示しないパスワード入力画面が表示され、顧客はパスワードを入力する。
そして、製本装置１００の通信部１０１は、個別情報入力装置４００より、分類ＩＤ、事業者１ＩＤ、事業者２ＩＤ、顧客名、パスワード、及び画像データを受信する（ステップＳ１６９、個別情報受信工程）。
【００５４】
また、製本装置１００は、データベース１０４にある個別情報及び製本情報のデータベースを更新する（ステップＳ１７０）。具体的には、製本装置１００は、個別情報入力装置４００より受信した個別情報及び製本情報を（製本情報受信工程）、データベース１０４内の個別顧客テーブル１１５、個別データテーブル１１６、製本管理テーブル１１７及び製本データテーブル１１８に追加更新する。
【００５５】
さらに、製本装置１００は、制御部１０２において、顧客が登録した製本情報に対して、第１の事業者、第２の事業者及び顧客の夫々に請求する製本の費用を計算する（ステップＳ１７１、計算工程）。具体的には、製本装置１００は、データベース１０４にある登録した製本情報の製本ＩＤに対する製本管理テーブル１１７より、共通情報ページ数、関連情報ページ数、及び個別情報ページ数を取得し、ページ数に応じた費用を計算する。なお上記した計算手段は、製本装置１００の制御部１０２が主として対応する。
【００５６】
なお、費用の計算方法としては、ページ単価に応じた計算でもよいし、製本費用全体に対して、共通情報ページ数、関連情報ページ数、及び個別情報ページ数の比で計算してもよい。例えば、前者の計算方法の場合は、共通情報ページ数４０、関連情報ページ数３０、及び個別情報ページ数３０で、１冊あたりのページ単価が５０円とすると、１冊あたりの第１の事業者の費用は２０００円、及び第２の事業者の費用は１５００円となる。また、顧客には、さらに製本のハードカバー代１０００円を請求する場合、顧客の費用は２５００円となる。
【００５７】
そして、後者の計算方法の場合は、同様に共通情報ページ数４０、関連情報ページ数３０、及び個別情報ページ数３０（つまりページ数比は４：３：３）で、製本のハードカバー代を含めた製本費用全体を１冊あたり６０００円とすると、１冊あたりの第１の事業者の費用は２４００円、第２の事業者の費用は１８００円、及び顧客の費用は１８００円となる。
【００５８】
したがって、本発明の製本装置及び製本方法によると、複数の事業者は、製本に対して、宣伝広告を行うと共に、他の事業者及び顧客と費用負担を分散して軽減させることができる。
【００５９】
次に、製本装置１００は、制御部１０２において、データベース１０４に格納された製本情報に基づいて、最終的な印刷画像である編集情報を作成する（ステップＳ１７２、作成工程）。具体的には、データベース１０４に格納された製本データテーブル１１８が示す画像ファイルを抽出し、それらの画像ファイルを編集することで、印刷画像を作成する。なお、画像ファイルの編集方法は、単純に抽出した画像を順番に連結するだけでもよいし、画像全体の色調を合わせるような編集処理を施してもよい。
【００６０】
そして、製本装置１００は、出力部１０５において、作成した編集情報を外部へ出力する（出力工程）。具体的には、出力部１０５は出力インターフェースとして外部メモリとの連結部有しており、連結部に連結された外部メモリを介して編集情報のデータを外部へ出力する。また、出力された編集情報に基づいて、外部の図示しない印刷装置により、本が印刷され、製本が完了することになる。
【００６１】
なお、図１７の個別情報入力画面１８０において、顧客がキャンセルボタンを押すことにより個別情報を登録しない場合（ステップＳ１６８：ＮＯ）、製本装置１００は、個別情報入力装置４００に対する処理を終了する。そして、個別情報入力装置４００においても、個別情報入力画面１８０が閉じられることになる。
【実施例】
【００６２】
以下に本発明の実施例について説明する。
（第１実施例）
図１８は、第１実施例（基本構成）の処理の内容を示す説明図である。ここでは、顧客をピアノ愛好者、第１の事業者を顧客が所有するピアノのピアノメーカ、及び第２の事業者を顧客が通っているピアノ教室とする。そして、共通情報入力装置２００、関連情報入力装置３００、及び個別情報入力装置４００で登録される画像のイメージを画像イメージ５００、５０１、及び５０２で示している。
【００６３】
まず、第１の事業者であるピアノメーカは、共通情報入力装置２００を使用して、ピアノメーカが提供する商品の広告、及び、商品の内容を解説した商品情報を登録する。次に、第２の事業者であるピアノ教室は、関連情報入力装置３００を使用して、ピアノ教室が提供する教室情報を登録する。
【００６４】
そして、顧客であるピアノ愛好者が、個別情報入力装置４００を使用して画像イメージを登録する手順を説明する。まず、ピアノ愛好者は、個別情報入力装置４００の個別情報入力画面１８０において、分類を”ピアノ”、事業者１を”○○○楽器（株）”と選択し、画像イメージ５００のように、ピアノメーカが提供するピアノ広告をページ１、及びピアノ商品情報をページ２として読み込む。
【００６５】
次に、ピアノ愛好者は、個別情報入力装置４００の個別情報入力画面１８０において、事業者２を”△△△ピアノ教室”と選択し、画像イメージ５０１のように、ピアノ教室が提供するピアノ教室情報をページ３として読み込む。
【００６６】
さらに、ピアノ愛好者は、個別情報入力装置４００の個別情報入力画面１８０において、顧客名を入力するとともに、画像イメージ５０２のように、ピアノ愛好者が参加したピアノ演奏会で撮影した写真情報をページ４に追加する。
【００６７】
このように、本発明の製本装置及び製本方法によれば、ピアノ愛好者の顧客に対して、顧客が所有するピアノのメーカが提供する商品情報、及び顧客が通っているピアノ教室が提供する教室情報を組み合わせると共に、当該組み合わせた内容に適合させるように、顧客が参加したピアノ演奏会で撮影した写真情報を追加した本を製作することができるのである。
【００６８】
（第２実施例）
図１９は、第２実施例（版の更新）の処理の内容を示す説明図である。ここでは、顧客をゴルフコンペ参加者、第１の事業者を顧客が参加するゴルフコンペを開催するゴルフコース事業者、及び第２の事業者を顧客が使用するゴルフクラブを販売するゴルフメーカとする。そして、共通情報入力装置２００、関連情報入力装置３００、及び個別情報入力装置４００で登録される画像のイメージを画像イメージ６００及び６０１で示している。
【００６９】
まず、第１の事業者であるゴルフコース事業者は、共通情報入力装置２００を使用して、ゴルフコースの情報、例えば、１ホール（１Ｈ）乃至１８ホール（１８Ｈ）のコース情報画像を登録する。次に、第２の事業者であるゴルフメーカは、関連情報入力装置３００を使用して、ゴルフメーカが提供するゴルフクラブ広告を登録する。
【００７０】
そして、顧客であるゴルフコンペ参加者は、個別情報入力装置４００の個別情報入力画面１８０において、分類を”ゴルフ”、事業者１を”□□カントリーゴルフコース”、事業者２を”○□△ゴルフ（株）”と選択して、共通情報及び関連情報を読み込む。また、ゴルフコンペ参加者は顧客名を入力するとともに、画像イメージ６００のように、参加した第１回ゴルフコンペの写真情報を追加登録する。なお、写真情報には、撮影した写真に対して、対象となるホールのスコア（例えば、パー４に対してスコア５など）を表示した画像としてもよい。
【００７１】
つまり、画像イメージ６００においては、共通情報としてページ１、ページ３、及びページ５のコース情報画像を含み、関連情報としてページ１００のゴルフクラブ広告を含み、個別情報としてページ２及びページ４の第１回ゴルフコンペ写真情報を含んでいる。
【００７２】
さらに、画像イメージ６００は、個別情報入力装置４００の個別情報入力画面１８０において、読み込みボタンにより前回登録した版を読み込んだ状態も示している。そして、ゴルフコンペ参加者は、第１回のゴルフコンペ参加時に製本したデータに対して、第２回のゴルフコンペに参加したデータも追加したいとする。
【００７３】
そこで、ゴルフコンペ参加者は、個別情報入力装置４００の個別情報入力画面１８０において、読み込んだ画像イメージ６００に対して、画像イメージ６０１のように、ページ３及びページ６に参加した第２回ゴルフコンペの写真情報を追加登録する。
【００７４】
このように、本発明の製本装置、製本方法および製本システムによれば、ゴルフコンペのように継続して行われる行事のデータを随時残しておきたいという顧客の要望に対して、前回の製本に追加して製本することができるのである。
【００７５】
（第３実施例）
図２０は、第３実施例（卒業アルバムの制作）の処理の内容を示す説明図である。ここでは、例えば顧客を卒業生代表幹事などのアルバム制作委員会、第１の事業者を卒業生が通う学校が校内行事撮影を依頼している写真店、及び第２の事業者を卒業生が通っていた学校とする。そして、図２１は製本装置１００で制作される製本を示している。
【００７６】
まず、第１の事業者である写真店は、共通情報入力装置２００を使用して、学校行事の写真データに関する情報を登録する。より具体的には、例えば入学式や卒業旅行、体育祭などの学校行事での様子や参加した生徒の顔写真などの画像を登録する。次に、第２の事業者である学校は、関連情報入力装置３００を使用して、自校の校舎や校歌、あるいは担任の教諭の顔写真などの画像を登録する。
【００７７】
そして、顧客であるアルバム制作委員会は、個別情報入力装置４００の個別情報入力画面１８０において、分類を”卒業アルバム”、事業者１を”αβ写真店”、事業者２を”ＡＢ学校”と選択して、共通情報及び関連情報を読み込む。また、アルバム制作委員会は顧客名を入力するとともに、画像イメージ７００のように、生徒の視点から編集した部活、修学旅行などでのスナップ写真情報を追加登録する。なお、スナップ写真情報には、撮影した写真に対して、メッセージなどを上書きした画像としてもよい。
【００７８】
このように画像イメージ７００においては、例えば共通情報１としてページ１乃至２０を含み、関連情報２としてページ２１乃至２５を含み、個別情報３としてページ２６乃至ページ４０を含んでいる。
【００７９】
以上のとおり本発明の製本装置、製本方法および製本システムによれば、学校生活を凝縮して表現した卒業アルバムを創作したいという顧客の要望を、簡易にしかも効率的に実現することができる。
【産業上の利用可能性】
【００８０】
本発明の製本装置及び製本方法によると、顧客の好みに基づいて複数の事業者が提供する情報を組み合わせると共に、当該組み合わせた内容に適した顧客の情報を付加した本を製作することができ、上記実施例以外の様々な製本にも適用できる。
【００８１】
例えば本発明を共通ページ、関連ページ及び個別ページを有する製本セミオーダーシステムとして、ピアノ業界、ゴルフ業界、住宅販売業界、観光業界などの業務ツール、カーマニア、プラモデル愛好家、鉄道マニアなどの趣味サークル向け、部活動、同窓会、結婚式場などの想い出用として適用することができる。
【符号の説明】
【００８２】
１  共通情報
２  関連情報
３  個別情報
１００  製本装置
１０１  通信部
１０２  制御部
１０３  記憶部
１０４  データベース
１０５  出力部
１１０  分類テーブル
１１１  共通事業者テーブル
１１２  共通データテーブル
１１３  関連事業者テーブル
１１４  関連データテーブル
１１５  個別顧客テーブル
１１６  個別データテーブル
１１７  製本管理テーブル
１１８  製本データテーブル
２００  共通情報入力装置
３００  関連情報入力装置
４００  個別情報入力装置
【図１】
2011156796.tif 000003
【図２】
2011156796.tif 000004
【図３】
2011156796.tif 000005
【図４】
2011156796.tif 000006
【図５】
2011156796.tif 000007
【図６】
2011156796.tif 000008
【図７】
2011156796.tif 000009
【図８】
2011156796.tif 000010
【図９】
2011156796.tif 000011
【図１０】
2011156796.tif 000012
【図１１】
2011156796.tif 000013
【図１２】
2011156796.tif 000014
【図１３】
2011156796.tif 000015
【図１４】
2011156796.tif 000016
【図１５】
2011156796.tif 000017
【図１６】
2011156796.tif 000018
【図１７】
2011156796.tif 000019
【図１８】
2011156796.tif 000020
【図１９】
2011156796.tif 000021
【図２０】
2011156796.tif 000022
【図２１】
2011156796.tif 000023